(57)【要約】      （修正有）【課題】簡単な構成の装置をコンパクトに、各種現場に対応できる大きさに形成し、装置の運搬、操作の熟練、人工も最小限で良く、経費の節約、及び騒音や周囲への水処理もでき、再利用も直ぐに使用できる程度の含水に泥水を分離した泥分を排出できる泥水分離装置を提供する。【解決手段】泥水分離装置１において、泥水供給口から排出口４に向かって直径の異なる支持リングを大きさ順に並べて末広がりのテーパー状に形成した軸心を水平に支持した回転ドラム６と、該回転ドラムの内周壁も兼ねるスリット用線材を一定ピッチで固定して軸方向に対応した長方形状のスリットを前記回転ドラムの軸心に直角に一定ピッチで配置固定した支持リングとで多数形成した篩部９と、前記回転ドラムの頂上部に設け上記スリットの目詰まりを防止する目詰まり防止スプレー部１５とを設けた泥水分離装置。【選択図】図１
0003158687.tif 000002
【実用新案登録請求の範囲】
【請求項１】
泥水分離装置において、泥水供給口から排出口に向かって直径の異なる支持リングを大きさ順に並べて末広がりのテーパー状に形成した回転ドラムと、該回転ドラムの内周壁も兼ねるスリット用線材を一定ピッチで固定して軸方向に対応した長方形状のスリットを前記回転ドラムの軸心に直角に一定ピッチで配置固定した支持リングとで多数形成した篩部と、前記回転ドラムの頂上部に設け上記スリットの目詰まりを防止する目詰まり防止スプレー部と、該回転ドラムの泥水供給口に泥水を供給する泥水投入部と、前記回転ドラムの軸心を水平に支持する支持部を有する設置架台とから構成したことを特徴とする泥水分離装置。
【請求項２】
回転ドラムの排出口端部の支持リングに一端部を固定し、他端部を複数個先の支持リング端部に固定し、傾斜させ、かつ複数本を一対にした筋交いを一定ピッチで泥水供給口まで繰り返し設けたことを特徴とする請求項１記載の泥水分離装置。
【請求項３】
回転ドラム内周壁に形成した篩部のスリットの収束部のスリット用線材をＶ字状に配置固定した構成としたことを特徴とする請求項１または２に記載の泥水分離装置。
【請求項４】
回転ドラムの泥水供給口端部にフランジとスプロケットを固定し、該スプロケットに設置架台に設けた駆動部のチェーンを噛み合わせた構成としたことを特徴とする請求項１から３項のいずれか１項に記載の泥水分離装置。
【請求項５】
目詰まり防止スプレー部が回転ドラムの頂上で、かつスリットに対応した位置にパイプ状のスプレー本体の内部空間を仕切板で仕切って独立したエア室を形成し、各エア室にエアが独立して供給する構成としたことを特徴とする請求項１から４項のいずれか１項に記載の泥水分離装置。
【請求項６】
回転ドラムの外周面を泥水が外部へ飛散しないように設置架台の周囲にドーム状のフレーム格子を形成し、該フレーム格子に防水シートを着脱自在に装着したことを特徴とする請求項１から５項のいずれか１項に記載の泥水分離装置。
【考案の詳細な説明】
【技術分野】
【０００１】        本考案は、例えば、杭打ち、杭の引き抜き等の建設現場で地盤を水のスプレー等により掘削する時等に発生する泥水から水と砕石、砂、土等の残土（固形物）を第一次的に分離し、分離された水、残土は再利用として活用するための泥水分離装置に関する。
【背景技術】
【０００２】        従来から、建設現場では、地盤に杭孔等を掘削する際に、水の水圧と水の流動性を利用して掘削することが普通行われている。その際は、掘削時に大量の泥水（汚泥）が生じる。その泥水処理としては、単にメッシュ状のネットを多数重ねた構成に泥水を供給して泥水と固形物を分離するか、大型で高価な真空ポンプ等を介在させた複雑な構成の装置で泥水と固形物を分離する手段が行われている。その結果、ネット構成の装置は簡単で安価ですが、分離精度が悪く、ネットに目詰まり等の故障が多々生じる不具合あり、更に作業性と効率が悪く、建設現場では極めて小規模の際、以外に利用し難い課題があった。【０００３】        また、大型の真空ポンプ，凝集剤、或るいはスクリュー方式等を介在した装置では、生産性、及び作業性は改善されているが、軸心にこの種物質が蓄積して分離効率が低下するばかりでなく、装置の破壊を招く虞があった。その上、装置の価格が高価で、かつ大型のため現場スペースを選択する必要があり、大量処理には最適であるが小さい現場では装置の搬送、設置に多くの時間を費やす不利があった。勿論、維持管理の凝集剤等の消耗品も多数あり、経費が掛かり、操作技術の熟練も不可欠であった。【０００４】        そこで、泥水に凝集剤、及び分離剤を添加し、攪拌し泥と水に分離する装置、または高速泥水分離として濾過手段と真空脱水する手段を備えた装置、更に凝集剤を混入した泥水から泥分を分離する分離スクリーン等有する泥水分離装置などが提案され、実施されている。（例えば、特許文献１、２等を参照）。
【先行技術文献】
【０００５】
【特許文献１】  特開２００４−３３７７５７号公報
【特許文献】
【特許文献１】  特開２００１−３５３４１３号公報
【考案の概要】
【考案が解決しようとする課題】
【０００６】        しかしながら、特許文献１では凝集剤と分離剤を添加して泥と水を分離するために混合攪拌後に泥を沈殿させるための静止時間が必要であり、かつその後の泥と水の分離に種々の手段を直列的に設備する必要があり、泥水分離に時間が掛かり、作業効率的に好ましくなく、設備も多く、コスト、作業人員も多数要すると、共に狭い現場での作業面積が大きい等の課題があった。【０００７】        また、特許文献２では、軸心に回転軸を具備する回転ドラムに供給された泥水に凝集剤を注入し攪拌混合し、この混合物の凝集反応を促進させる凝集ドラムに送給し、泥水から泥分を分離する手段が記載されている。しかし、凝集剤が必要であり、構造も複雑な大型の装置となるため洗浄に時間が掛かり、しかも高価で、凝集剤という消耗品も大量に必要となり、その泥分の処分も制限されるなど、汎用性に欠ける課題があった。【０００８】        本考案は、上記のような課題を解決するために、テーパー状の回転ドラムの外周面を特殊なスリット状の網目に形成し、回転時に目詰まり防止をエアスプレーで行い泥水を水と適度の水分を含有する泥分に確実に、連続的に分離でき、その上、凝集剤等も必要とせず、泥分に少ないセメント粉量を添加すれば直ぐに再利用でき、しかも、設置現場の環境も清潔で、構造が簡単なため騒音も小さくできる。さらに、装置価格も安価で、その上、操作に熟練を必要としない原理的な泥水分離装置を提供することを目的とする。
【考案の開示】
【課題を解決するための手段】
【０００９】        本考案に係る泥水分離装置は、主軸のない回転ドラム構造の篩部で、回転ドラムの軸心が水平に維持され、かつ供給される泥水を水と泥に分離する泥水分離本体と、この本体の分離機能を有する網部の目詰まりを独立して有効に機能させる目詰まり防止スプレー部と、該本体への泥水供給部と、泥水分離本体の支持架台と、水分の貯水槽と泥水分離の際に水が本装置の外部へ放散するのを防止するカバー等を具備する構成としたことを特徴とする。【００１０】        ここで、前記泥水分離本体は、棒状の線材で網部を形成する長方形のスリットの代わりにメッシュ状の網目で回転ドラム外周を構成することもできる。【００１１】        また、泥水分離本体の網部は、目的応じて回転ドラムの中心から左右端に向かって網目のスッリットを変化させた構成も可能である。さらに、網部の外周面を螺旋状の補助材を大きなピッチで固定し、筋交い本数を低減することもできる。【００１２】        さらに、目詰まり防止スプレー部は、エアスプレーに限らず、水を含む霧状のスプレー、あるいは分離した水による水のスプレー、若しくは乾燥エアのスプレー、加温エアのスプレー等現場に応じた性質のモノを噴射できる装置を備えることもできる。【００１３】        また、目詰まり防止スプレー部は、回転ドラムの頂点部に設置するだけでなく、目詰まり箇所の多く発生する位置に補助的にスプレーを設置することもできる。【００１４】        さらに、泥水供給部の前記本体への投入口までの底部に非常に細かいメッシュからなる網目の第一次的な水分除去領域部を設けることも可能である。【００１５】        また、泥水分離本体の回転ドラムの内部に支柱として配置した筋がいを螺旋形状方に構成して回転ドラムの直径部的な障害物を大幅に削減した構成とすることもできる。【００１６】        さらに、排出される泥分の含数率は、篩部の回転数を制御することで例えばセメント粉を最小限の添加量で再利用できる原料に製造することできる。【００１７】        また、回転ドラムの支持リングにスリット用線材を貫通する孔を一定ピッチで穿設してスリットを形成することもできる。
【考案の効果】
【００１８】        本考案に係る泥水分離装置は、テーパー状で回転ドラム構造の篩部の外周面を特殊なスリット状の網目に形成し、回転時に目詰まり防止をエアスプレーで行い泥水を水と適度の水分を含有する泥分に確実に、連続的に分離でき、その上、凝集剤等も必要とせず、泥分に少ないセメント粉量を添加すれば直ぐに再利用できる特徴がある。【００１９】        また、泥水分離装置が必要最小限の機能を具備する簡単な構造としため、安価で、その上、泥水の分離を行う篩部の回転速度を低速にしたため、騒音も小さくでき、しかも、操作が簡単なため熟練を必要としない優位性がある。【００２０】        さらに、本考案にかかる泥水分離装置は、篩部の外周面を防水カバーで包囲したため、泥水や泥分、水が装置周囲に放散せず作業現場の環境を綺麗で清潔な環境にできる効果がある。
【図面の簡単な説明】
【００２１】
【図１】本考案に係る泥水分離装置の一実施例で防水カバー等を除去して示す概略斜視図である。
【図２】本考案に係る泥水分離装置の一実施例で防水カバーを断面にして示す正面図である。
【図３】本考案に係る泥水分離装置の一実施例で防水カバーを断面にして示す平面図である。
【図４】本考案に係る泥水分離装置の一実施例を示す左側面図である。
【図５】本考案に係る泥水分離装置の一実施例で泥水投入部と回転ドラムの泥水供給口近傍の構成を抽出して示す正面図である。
【図６】本考案に係る泥水分離装置の要部である泥水分離本体の一実施例を抽出して示す概略説明図で、（ａ）は篩部の全体を概略的に示す説明斜視図、（ｂ）はイ部を抽出して示す説明拡大図、（ｃ）は篩部全体の中でスリット形成用線材の収束部の一部であるロ部を抽出して示す説明拡大図である。  ある。
【図７】本考案に係る泥水分離装置の一実施例で回転ドラムの支持リングに補強のために固設する筋交いの配設を線図で示す説明図であり、（ａ）は１本目の筋交いの配設を説明する線図、（ｂ）図は２本目の筋交いの配設を説明する線図、（ｃ）図は３本の筋交いの配設を説明する線図である。
【図８】本考案に係る泥水分離装置の一実施例であるもう一つの要部である篩の目詰まり防止スプレー部の一部を断面にして示す平面図である。
【図９】本考案に係る泥水分離装置の一実施例で駆動力伝達構成を示す説明図である。
【考案を実施するための形態】
【００２２】        以下に、本考案に係る泥水分離装置の一実施例について図面を用いて詳細に説明する。
即ち、本考案に係る泥水分離装置１は、図１から図９に示すように泥水分離本体２と、目詰まり防止スプレー部１５と、泥水投入部２２と、駆動部２６と設置架台３０と、防水カバー部３６を主な構成としたコンパクトな泥水分離装置である。即ち、図１は泥水分離装置１全体の主要部等のみを示す説明概略斜視図ある。
【００２３】        さらに、泥水分離本体２は図１から図４、及び図６，図７に示すように泥水供給口３から泥分の排出口４に向かって末広がりのテーパー状に形成する大きさの順に支持リング５を一定ピッチ、例えば１５０ｍｍ毎位に軸心に対して直角に、長手方向に配置した構造の回転ドラム６と、その内周面６ａに一定ピッチで固定したスリット形成兼補強材となるスリット用線材７で長方形状のスリット８を回転ドラム６の長手方向の内周面に形成した篩部９と、支持リング５に両端部を固定し、回転ドラム６の変形阻止と、軸心的な働き、及び泥分排出口４から排出される泥分の粉砕に役立つ筋交い１０と、回転ドラム６の両端部近傍の外周面に固定したガイドリング１１と、駆動力伝達部１２とから構成したものである。
【００２４】        また、筋交い１０は回転ドラム６の内周面に図２，図４及び図７（ａ）、（ｂ）、及び（ｃ）に例えば、構成部材を３本、例えば筋交い１０ａ、１０ｂ、１０ｃとした場合の配置状態を説明するために便宜的にそれぞれ抽出して線図で示すように筋交い１０の一端を、支持リング５の最終端５ａの一端に固定し、他端を３番目の支持リング５ｂの一端に例えば３本からなる筋交い１０を約１２０度位、間隔で固定し、このような筋交い１０を一定ピッチで出発端、即ち泥水供給口３の支持リング５ｎまでＶ字的に配置したものである。
【００２５】        ガイドリング１１は、回転ドラム６の泥水供給口３と排出口４の端部近傍のスリット用線材７に固定し、回転ドラム６を安定して回転させるものであり、駆動力伝達部１２は図５に部分的拡大して示すように支持リング５ｂに固定したフランジ１３とスプロケット１４とから構成する。なお、スプロケット１４は後記する駆動部のチェーンで駆動される。
【００２６】        さらに詳しく図面を用いて説明すると、回転ドラム６は軸心を水平に支持するためにガイドリング１１と後記する設置架台の支持部で高低差を調整する。なお、回転ドラム６の回転数が一定でも泥水供給口３と泥分の排出口４では遠心力が異なり、水分の飛散力が末端に行くに従って大きくなり泥水分離能力を向上させるものである。勿論、回転ドラム６がテーパー状のため廃棄物（泥分）は傾斜面を送出されるものである。
【００２７】        篩部９は図２、及び図６に抽出し、概略線図、あるいは一部を抽出して拡大して示すように回転ドラム６の長手方向に支持リング５、例えば直径が１２ｍｍ位で約１５０ｍｍのピッチで配置し、その間に例えば、直径６ｍｍ位のスリット用線材７を長手方向に直線状に配置、固定して長方形状のスリット８を回転ドラム６の内周面に形成したものである。例えば、一般部は図６（ａ）に示すような配置で、図６（ｂ）のようにその端部を抽出してその一部を拡大
0003158687.tif 000003
より選択した篩９を使用する。
【００２８】        また、篩９の収束部９ａの一部を抽出拡大して図６（ｃ）に示すようにテーパー状のため回転ドラム６の内周面に均一にスリット用線材７を配置、固定していくと、最後はＶ字状になり、この部分にもスリット８を形成するとＶ字の変形の積み重ね形状の外観に固定する。
【００２９】        目詰まり防止スプレー部１５は図２、図３、及び図８に示すように回転ドラム６の頂上部に装着する。その構成は、図８に示すようにパイプ状のノズル本体１６とノズル本体１６の内部を仕切板１７で独立させたエアスプレー室１８と噴射口１８ａを前記スリット８にマッチさせて配設する。噴射口１８ａは交互に隙間を有して直線状に２列配列し、エアをスリット８に最適に噴射できる構成であり、エアはサーボタンク１９にホース２０を介して独立して連結し、スリット８の付着状況に応じて吹き飛ばすものである。なお、目詰まり防止スプレー部１５は図２、図３，図４に示すように後記する防水カバー部のフレーム構造の頂上部に支持材２１で釣り下げ固定する。
【００３０】        泥水投入部２２は、図１，図２，及び図５に示すように投入口２３と傾斜した中継部２４と設置架構２５とから構成し、重機や所定供給手段のホース等から工事現場の泥水投入口２３、例えばホッパーへ投下し、これを泥水供給口３へ送出するものである。
【００３１】        駆動部２６は図１，２、図３、及び図９に示すようにモータ２７とチェーン２８とチェーンカバー２９とから構成し、回転ドラム６を所定速度、例えば６〜１０ｒｐｍで回転させるものである。勿論、回転数は泥水の成分によって任意に変化させるものである。
さらに、詳しく説明すると回転ドラム６は軸心がガイドリング１１と下記する設置架台に設けた支持受けローラで水平に支持し、載置した状態でスプロケット１４を介して駆動力伝達部２６に連結されたモータ２７、チェーン２８で回転ドラム６を回転する。
【００３２】        設置架台３０は、図１、図２、図３、及び図４に示すように角パイプ、アングル、汎用鋼材を溶接等で固定した架台３１と支持部３２とから構成し、支持部３２はガイドローラ３３と支軸３４と支持台３５からなり、この支持台３５でガイドリング１１を載置して回転ドラム６を載置した状態で支持するものである。なお、支持台３５の設置角度は回転ドラム６の外周面のガイドリング１１を平均に載置するように設定する。
【００３３】        また、防水カバー部３６は金属製等のパイプ状等の支持フレーム３７を複数本、間隔を有して設置架台３０に末端部を固定し、かつ縦、横のフレーム３７を大きな網目に配置して各接触部を締結してドーム状の格子３８に防水シート３９を張設した構成であり、この格子３８は回転ドラム６の長手方向の周囲に配置、固定する。なお、防水カバー部３６は回転ドラム６の直径より大きなドーム状の格子３８であり、これに防水シート３９を着脱自在に装着し、泥水分離の際に水分が装置外に飛散するのを阻止し、作業環境を清潔にするのと回転ドラ６から破棄された水分を所定の場所で集水するのに役立つものである。３５は制御板で駆動部２６，及びサーボタンク等の数値を制御するものである。
【００３４】        次ぎにこのような構成において、本考案に係る泥水分離装置の動作について説明すると、泥水投入部２２の投入口３に現場等から供給された泥水が投下される。すると、泥水は中継部２４を経て泥水分離本体の回転ドラム６の泥水供給口３に供給される。この際、回転ドラム６は駆動力伝達部１２を介して約６〜１０ｍ位の速度でＲ方向に回転しており、そこに泥水が供給されて遠心力と篩部９のスリット８を通過した水分は設置架台３０の図示しない集水部に落下し、水分を低減しながら泥水は回転ドラム６を搬送され、泥分が排出口４から装置外へ排出される。なお、目詰まり防止スプレー部１５は泥水の粘度によりエアを適宜強さに噴射して、スリット８の目詰まりを阻止して泥水分離作業を維持する。
【符号の説明】
【００３５】        １  泥水分離装置
２  泥水分離体
３  泥水供給口
４  排出口
５  支持リング
６  回転ドラム
８  スリット
９  篩部
１１  ガイドリング
１２  駆動力伝達部
１４  スプロケット
１５  目詰まり防止スプレー部
１６  ノズル本体
２２  泥水投入部
２５  設置架構
２６  駆動部
２７  モータ
３０  設置架台
３２  支持部
３３  ガイドローラ
３４  支軸
３５  支持台
３６  防水カバー部
【図１】
0003158687.tif 000004
【図２】
0003158687.tif 000005
【図３】
0003158687.tif 000006
【図４】
0003158687.tif 000007
【図５】
0003158687.tif 000008
【図６】
0003158687.tif 000009
【図７】
0003158687.tif 000010
【図８】
0003158687.tif 000011
【図９】
0003158687.tif 000012